(57)【要約】【課題】簡単な構成でユーザが紫外線量を認識可能な通信装置を提供する。【解決手段】アンテナ１００の先端部分を樹脂からなる頭部１２１と、該当部１２１の下方に形成された紫外線検出部１２２とで構成し、一方、携帯電話の筐体４０のアンテナ収納部分は凸形状であると共に前記凸形状部分の内部は凹部が形成されており、前記アンテナ１００を前記筐体４０へ収納すると、前記アンテナ１００の紫外線検出部１２２が前記筐体４０の凹部分へはめ込まれ、前記アンテナ１００の紫外線検出部１２２に光が照射されなくなる。【選択図】  図３
2004317415.tif 000002
【特許請求の範囲】
【請求項１】
伸縮自在のアンテナと、紫外線の受光量に応じて異なる色に変化する紫外線検出部とを有する通信装置において、
前記紫外線検出部は、前記アンテナが伸張されたときのみ露出するように設けられたことを特徴とする通信装置。
【請求項２】
軸部と該軸部の先端に形成された頭部とからなり、前記頭部の底部近傍に紫外線を検出する為の紫外線検出部が形成されたアンテナを収容可能な通信装置であり、
前記通信装置は、前記アンテナの収容時に、前記アンテナの紫外線検出部を密嵌させる為の凹部を有することを特徴とする通信装置。
【請求項３】
軸部と該軸部の先端に形成された頭部とからなり、前記軸部に紫外線を検出する為の紫外線検出部が形成されたアンテナを収容可能な通信装置であり、
前記通信装置は、前記アンテナの収容時に、前記アンテナの紫外線検出部を挿入させる為の凹部を有することを特徴とする通信装置。
【請求項４】
軸部と該軸部の先端に形成された頭部とからなるアンテナを収納可能な通信装置であり、
前記頭部の根元部分は逆凹形状となっていると共に前記逆凹形状部分の中心から下方に前記軸部が延在し、
前記通信装置のアンテナ収納部分は凸形状となっていると共に先端に紫外線検出部が形成され、前記アンテナを前記通信装置に収納する際には、前記アンテナの前記逆凹形状部分が前記通信装置の前記紫外線検出部を覆いかぶさることを特徴とする通信装置。
【請求項５】
請求項１〜４記載の通信装置であり、前記紫外線検出部は、紫外線の受光量に応じて異なる色に可逆的に変化可能であると共に、長時間の紫外線受光により前記可逆性が損なわれるものであることを特徴とする通信装置。
【請求項６】
請求項１〜５記載の通信装置であり、前記紫外線検出部は有機フォトクロミック化合物からなることを特徴とする通信装置。
【発明の詳細な説明】
【０００１】
【発明の属する技術分野】
本発明は、携帯電話等の通信装置に関する。
【０００２】
【従来の技術】
近年の携帯電話のような通信装置は、メール機能を搭載したものや、ＣＣＤ（Ｃｈｒｇｅ  Ｃｏｕｐｌｅｄ  Ｄｅｖｉｃｅ）を搭載したものがあり、もはや通話をするためだけの道具ではなくなってきた。
【０００３】
又、携帯電話に関する様々な技術も提案されており、例えば、紫外線センサを携帯電話に取りつけ、紫外線光量を表示させる技術が提案されている（文献１参照）。
【０００４】
【特許文献１】
特開２００１−１３３３２３号公報（第２頁〜第３頁及び図１）。
【０００５】
【発明が解決しようとする課題】
前記文献１記載の技術では、先ず、紫外線センサとして、紫外線センサ部とアナログ／デジタル変換部と通信部と電源制御部といった回路構成が必要でありコストがかかるという問題がある。
【０００６】
又、前記引用文献１記載の技術では、ユーザが表示部に表示された紫外線量データを見ることにより紫外線量を確認することが可能であるが、紫外線量データを表示させる為のプログラムを携帯電話に内蔵させる必要があり、設計者に設計負担がかかるという問題がある。
【０００７】
このようなことから、できるだけ少ないコストで且つ簡単な構成でユーザが紫外線量を認識可能な携帯電話装置を提供することが好ましい。
【０００８】
【課題を解決するための手段】
本発明はこのような課題を解決する為のものであり、請求項１記載の通信装置は、伸縮自在のアンテナと、紫外線の受光量に応じて異なる色に変化する紫外線検出部とを有する通信装置において、前記紫外線検出部は、前記アンテナが伸張されたときのみ露出するように設けられたことを特徴とする。
【０００９】
請求項２記載の通信装置は、軸部と該軸部の先端に形成された頭部とからなり、前記頭部の底部近傍に紫外線を検出する為の紫外線検出部が形成されたアンテナを収容可能な通信装置であり、前記通信装置は、前記アンテナの収容時に、前記アンテナの紫外線検出部を密嵌させる為の凹部を有することを特徴とする。
【００１０】
請求項３記載の通信装置は、軸部と該軸部の先端に形成された頭部とからなり、前記軸部に紫外線を検出する為の紫外線検出部が形成されたアンテナを収容可能な通信装置であり、前記通信装置は、前記アンテナの収容時に、前記アンテナの紫外線検出部を挿入させる為の凹部を有することを特徴とする。
【００１１】
請求項４記載の通信装置は、軸部と該軸部の先端に形成された頭部とからなるアンテナを収納可能な通信装置であり、前記頭部の根元部分は逆凹形状となっていると共に前記逆凹形状部分の中心から下方に前記軸部が延在し、前記通信装置のアンテナ収納部分は凸形状となっていると共に先端に紫外線検出部が形成され、前記アンテナを前記通信装置に収納する際には、前記アンテナの前記逆凹形状部分が前記通信装置の前記紫外線検出部を覆いかぶさることを特徴とする。
【００１２】
請求項５記載の通信装置は、請求項１〜４記載の通信装置であり、前記紫外線検出部は、紫外線の受光量に応じて異なる色に可逆的に変化可能であると共に、長時間の紫外線受光により前記可逆性が損なわれるものであることを特徴とする。
【００１３】
請求項６記載の通信装置は、請求項１〜５記載の通信装置であり、前記紫外線検出部は有機フォトクロミック化合物からなることを特徴とする。
【００１４】
【発明の実施の形態】
以下、本発明を適用してなる実施例装置について説明する。
【００１５】
本発明を適用してなる実施例装置は、アンテナの下部を例えば有機フォトクロミック化合物で形成し、アンテナを伸ばすことにより紫外線を測定可能とするものである。
【００１６】
図１は本実施例装置である携帯電話の斜視図を示している。
【００１７】
図１において、携帯電話１は、表示部１０とアンテナ１００とスピーカ３０を搭載した第１の筐体４０と、該第１の筐体４０とヒンジ部５０を介して接続された第２の筐体６０とからなる。
【００１８】
前記第２の筐体６０は、テンキーや通話キー、切キー等からなる入力部７０を搭載している。
【００１９】
図２は、アンテナ１００部分の斜視図を示している。
【００２０】
アンテナ１００は軸部（ロッドアンテナ）１１０と頭部（ヘリカルアンテナ）１２０とからなり、前記頭部１２０は、例えばＡＢＳ（アクリルニトリルブタジエンスチレン）等の樹脂からなる先端部１２１と該先端部１２１の下方に形成された紫外線検知部１２２とからなる。
【００２１】
前記紫外線検知部１２２は、樹脂に例えば、有機フォトクロミック化合物を含有させている。
【００２２】
前記有機フォトクロミック化合物は、紫外線光量が多いほど薄い水色、水色、青色、濃い青色へと順に変化し、薄い水色が全く照射されていない状態を示し、濃い青色が一番紫外線光量が多いことを示している。
【００２３】
又、前記有機フォトクロミック化合物は、紫外線が照射され青色に変化した後に紫外線が照射されなくなると、薄い水色に戻る性質がある。
【００２４】
更に、前記有機フォトクロミック化合物は長時間紫外線が照射され続けると、薄い水色に戻らなくなる性質がある。
【００２５】
このような有機フォトクロミック化合物からなる紫外線検出部１２２を用いて紫外線を検出する際には、図３に示すようにアンテナ１００を収納した状態から、図４に示すようにアンテナ１００を伸ばした状態にすることにより、紫外線検出部１２２が外部に露出し紫外線の検出を開始する。ユーザは、前記紫外線検出部１２２の色の変化を見ることにより、紫外線光量を認識することが可能である。
【００２６】
又、紫外線光量の検出が終了すると、図３に示すようにアンテナ１００を筐体４０のアンテナ１００収納部分に収納する。即ち、凹部８０に前記紫外線検出部１２２が密嵌されることにより、紫外線検出部１２２が筐体８０内部に隠れる。この為、紫外線検出部１２２に紫外線が当たらなくなり、紫外線検出部１２２の色が薄い水色に戻る。
【００２７】
このように紫外線検出後アンテナ１００を収納するだけで、紫外線検出部１２２に紫外線が照射されることを防ぐことが可能であり、その結果、紫外線検出部１２２に長時間紫外線が照射され、紫外線検出部１２２の色が元に戻らなくなることを防ぐことが可能である。
【００２８】
尚、紫外線検出部１２２と先端部１２１とは異なる色としても良い。例えば、紫外線検出部１２２が薄い水色、水色、青色、濃い青色と変化するのであれば、紫外線検出部１２２の変化する色を除く色（例えば、赤色）を先端部１２１の色とすることにより、紫外線検出部１２２がどのように変化しているかをユーザが認識しやすくすることが可能である。
【００２９】
又、次のように構成しても良い。
【００３０】
図５（ａ）に示すように筐体のアンテナ１００収納部分を凸形状にすると共に該凸形状部分先端に紫外線検出部１２２を形成すると共に、図５（ｂ）に示すようにアンテナ１００の頭部１２０の底面部分を逆凹形状とし、アンテナ１００を筐体４０に収納する際には、図５（ｂ）に示すようにアンテナ１００の頭部１２１の逆凹形状部分が前記紫外線検出部１２２を覆いかぶす構成としても良い。このような構成とすることにより、アンテナ１００を収納した際に紫外線検出部１２２に紫外線が照射されることを防ぐことが可能であり、その結果、紫外線検出部１２２に長時間紫外線が照射され、紫外線検出部１２２の色が元に戻らなくなることを防ぐことが可能である。
【００３１】
以上説明したように、本実施例装置では、アンテナ１００の下部に紫外線検出部１２２を形成するだけという簡単な構成で、ユーザが紫外線量を認識可能としている。この為、少ないコストで紫外線量を検出する機能を携帯電話に搭載することが可能である。
【００３２】
又、アンテナ１００を筐体に収納するだけで、紫外線検出部１２２に紫外線が照射されることを防ぐことが可能である為、紫外線検出部１２２に長時間紫外線が照射され、紫外線検出部１２２の色が元に戻らなくなることを防ぐことが可能である。
【００３３】
更に、本実施例では、紫外線検出部１２２の色が変化することでユーザが紫外線量を認識することが可能であるため、紫外線量を示すテキストデータを表示する機能を携帯電話に搭載する必要がない。この為、設計者の負担の軽減や携帯電話の低コスト化が実現できる。
【００３４】
尚、本実施例では、アンテナのヘリカルアンテナ部分に紫外線検出部１２２を形成したが、ロッドアンテナ部分に紫外線検出部１２２を形成してもよい。
【００３５】
【発明の効果】
本発明では、簡単な構成でユーザが紫外線量を認識可能である。
【図面の簡単な説明】
【図１】本発明を適用してなる実施例装置の斜視図である。
【図２】アンテナ１００の斜視図である。
【図３】アンテナ１００を筐体４０に配置した状態の図である。
【図４】アンテナ１００を筐体４０から伸ばした状態の図である。
【図５】他の実施例を示す図である。
【符号の説明】
８０    凹部
１００  アンテナ
１２０  頭部
１２１  先端部
１２２  紫外線検出部
【図１】
2004317415.tif 000003
【図２】
2004317415.tif 000004
【図３】
2004317415.tif 000005
【図４】
2004317415.tif 000006
【図５】
2004317415.tif 000007